(57)【要約】      （修正有） 【課題】包装容器を偏平の押し潰す際に、摘み部としての底面板の一隅角部に確実に指先が引っ掛かるようにして容易に立ち上げることが出来る包装容器の提供。【解決手段】包装容器１Ａを構成する底面板１０の外端縁側一隅角部に該底面板１０の対角線と略直交する折り目ｋが形成されるとともに、該折り目ｋが形成された底面板１０の一隅角部に対応する糊代１１の連設部側隅角部近傍に、切欠部１１ａが形成される。このため、底面板１０の一隅角部を摘み部として折り目ｋに沿って立ち上げる際、指先を一隅角部に確実に引っ掛けることができる。【選択図】図４
0003114394.tif 000002
【実用新案登録請求の範囲】
【請求項１】
背面板、左右の側面板および正面板が折り目を介して連設される一方、背面板の上端縁に差込フラップを有する上面板が折り目を介して連設され、また、左右の側面板または正面板もしくは背面板のいずれかの下端縁に糊代が折り目を介して連設されるとともに、糊代が連設された下端縁と対向する下端縁に底面板が折り目を介して連設された包装容器において、前記底面板の外端縁側一隅角部に該底面板の対角線と略直交する１本もしくは複数本の折り目が形成されるとともに、該折り目が形成された底面板の一隅角部に対応する糊代の連設部側隅角部近傍に、切欠部が形成されることを特徴とする包装容器。
【請求項２】
前記糊代の連設部近傍に左右方向に間隔をおいて２個のＵ字状の切れ目が互いに開口部を中央に向けて形成されていることを特徴とする請求項１記載の包装容器。
【考案の詳細な説明】
【技術分野】
【０００１】
本考案は、薬品や酒類あるいは清涼飲料などのビン容器あるいはプラスチック容器の包装容器に関するものである。
【背景技術】
【０００２】
従来より、薬品などのビン容器や飲料水などのプラスチック容器などを包装する包装容器として、波状の中心原紙にライナーが線状に接着されて形成される薄手のダンボールであるＥフェルトによって組み立てられた包装容器が知られている。
【０００３】
この包装容器１は、図６および図７に示すように、背面板２の右端縁に、左側面板３、正面板４、右側面板５が順に折り目ａ，ｂ，ｃを介して連設されるとともに、その左端縁に糊代６が折り目ｄを介して連設される一方、背面板２の上端縁に、折り目ｅを介して差込フラップ７を連設した上面板８が折り目ｆを介して連設され、また、左右の側面板３，５の上端縁および下端縁にそれぞれ折り目ｇ，ｇを介して上フラップ９および下フラップ９が連設され、さらに、背面板２の下端縁に底面板１０が折り目ｈを介して連設され、また、正面板４の下端縁に糊代１１が折り目ｉを介して連設されて構成されている。そして、正面板４には、その上端縁から下方に向けてＵ字状の切り裂き目ｊが形成されている。
【０００４】
次に、このように構成された包装容器１の組立手順について説明する。
【０００５】
まず、図７の展開図にしたがってＥフェルトを打ち抜いた後、裏面が上面を向くように反転させ、左側面板３に対して背面板２を折り目ａに沿って谷折りする一方、糊代６の表面に接着剤を塗布し、正面板４に対して右側面板５を折り目ｃに沿って谷折りし、右側面板５の裏面側端縁部を糊代６に貼着する。
【０００６】
次いで、偏平な包装容器１を上下反転し、糊代１１に接着剤を塗布した後、左右の側面板３，５を背面板２に対して折り目ａ，ｄに沿って立ち上げるとともに、下フラップ９，９を折り目ｇ，ｇに沿って谷折りする一方、糊代１１を正面板４に対して折り目ｉに沿って山折りした後、背面板２に対して底面板１０を折り目ｈに沿って谷折りし、糊代１１に貼着して包装容器１を形成する。
【０００７】
次いで、包装容器１の内部に薬品などの容器を収容した後、正面板４の、Ｕ字状の切り裂き目ｊによって区画された範囲内に接着剤を塗布するとともに、上フラップ９，９を折り目ｇ，ｇに沿って山折りする一方、背面板２に対して上面板８を折り目ｆに沿って谷折りするとともに、上面板８に対して差込フラップ７を折り目ｅに沿って谷折りして正面板４の裏面に沿って差し込み、差込フラップ７を正面板４に貼着して出荷される。
【０００８】
このような包装容器１に収容された薬品などを使用するときには、切り裂き目ｊに沿って切り裂けば、正面板４と差込フラップ７との貼着部分を分離することができることから、正面板４に対して上面板８を引き上げ、開口された上端開口部を通して薬品などの容器を取り出せばよい。
【０００９】
一方、薬品などを使い切って包装容器１を廃棄するときには、底面板１０を糊代１１から剥離すれば、包装容器１を偏平に折り畳むことができる。具体的には、底面板１０の外端縁側一隅角部に指先をかけて摘み上げ、その一隅角部を摘み部として摘んで底面板１０を引き上げることにより、底面板１０が貼着されている糊代１１のライナーを中心原紙から剥離させて糊代１１に対する底面板１０の貼着を解除し、包装容器１を偏平に折り畳むものである。
【考案の開示】
【考案が解決しようとする課題】
【００１０】
ところで、前述した包装容器においては、底面板の一隅角部に指先をかけてを摘み上げる際、底面板および糊代は外端縁が面一に重なった状態で貼着されており、指先がかかりにくく、容易に摘み上げることができない。このため、底面板を糊代から剥離するに際して、ナイフなどを別途必要とし、作業が煩雑になるという欠点があった。
【００１１】
本考案は、このような問題点に鑑みてなされたもので、包装容器の解体時に摘み部としての底面板の一隅角部に確実に指先が引っ掛かるようにして容易に摘み上げることができる包装容器を提供するものである。
【課題を解決するための手段】
【００１２】
本考案は、背面板、左右の側面板および正面板が折り目を介して連設される一方、背面板の上端縁に差込フラップを有する上面板が折り目を介して連設され、また、左右の側面板または正面板もしくは背面板のいずれかの下端縁に糊代が折り目を介して連設されるとともに、糊代が連設された下端縁と対向する下端縁に底面板が折り目を介して連設された包装容器において、前記底面板の外端縁側一隅角部に該底面板の対角線と略直交する１本もしくは複数本の折り目が形成されるとともに、該折り目が形成された底面板の一隅角部に対応する糊代の連設部側隅角部近傍に、切欠部が形成されることを特徴とするものである。
【００１３】
本考案によれば、包装容器を廃棄する場合、底面板の、折り目が形成された一隅角部に指先を引っ掛けて引き上げ、折り目に沿って立ち上げた三角形状の一隅角部を摘み部として摘んで底面板を引き上げることにより、糊代の中心原紙に線状に接着されているライナーを剥離させることができる。
【００１４】
この際、摘み部としての底面板の外端縁側一隅角部の下面には、糊代の切欠部が対応するため、板厚に相当する空間が形成されており、指先を一隅角部に確実に引っ掛けることができ、容易に折り目に沿って立ち上げることができる。
【００１５】
この結果、糊代から底面板を簡単に剥離して包装容器を偏平に押し潰すことができ、かさを小さくして廃棄することができる。
【００１６】
本発明において、前記糊代の連設部近傍に左右方向に間隔をおいて２個のＵ字状の切れ目が互いに開口部を中央に向けて形成されていると、糊代に対する底面板の貼着位置を２個のＵ字状の切れ目によって区画された範囲に限定することができ、これにより、摘み部としての一隅角部を摘んで引き上げ、中心原紙に対して線状に接着されているライナーを剥離させる際、ライナーの剥離箇所が２個のＵ字状の切れ目によって区画された範囲となり、容易に剥離させることができる。
【考案の効果】
【００１７】
本考案によれば、摘み部としての底面板の一隅角部に確実に指先を引っ掛けて引き上げることができ、糊代から底面板を剥離して簡単に偏平に押し潰すことができる。
【考案を実施するための最良の形態】
【００１８】
以下、本考案の実施の形態を図面を参照して説明する。
【００１９】
図１および図２には、本考案の包装容器１Ａの一実施形態が示されている。
【００２０】
この包装容器１Ａは、先に説明した包装容器１と同一の構成であり、同一の構成には同一の符号を付してその詳細な説明を省略し、相違する点についてのみ説明する。
【００２１】
図１および図２において、底面板１０には、その外端縁側一隅角部に、直角二等辺三角形を形成するように、対角線に直交する複数本の折り目ｋが形成されている。
【００２２】
また、糊代１１には、底面板１０の、折り目ｋが形成された外端縁側一隅角部に重なる位置である連設部側一隅角部近傍に半円状の切欠部１１ａが形成されるとともに、切欠部１１ａが形成された連設部側近傍に位置して、左右方向に間隔をおいて一対のＵ字状の切れ目ｍ，ｍが互いに開口部を中央に向けて形成されている。
【００２３】
このように構成された包装容器１Ａの組立手順は、先に説明した包装容器１の組立手順と何ら相違しないため、その詳細な説明を省略する。
【００２４】
ただし、糊代１１に対して底面板１０を貼着する場合は、糊代１１の、一対の切れ目ｍ、ｍによって区画された範囲に接着剤を塗布し、底面板１０を貼着する（図２参照）。
【００２５】
このような包装容器１Ａを廃棄するときには、底面板１０の、折り目ｋが形成された一隅角部に指先を引っ掛けて引き上げ、折り目ｋに沿って立ち上げた後、底面板１０の三角形状の一隅角部を摘み部として摘んで引き上げ、底面板１０を糊代１１から剥離すればよい。
【００２６】
この場合、図３に示すように、底面板１０の折り目ｋが形成された外端縁側一隅角部の下面に、糊代１１に形成された切欠部１１ａによってＥフェルトの厚みに相当する空間が形成されていることから、底面板１０の、折り目ｋが形成された一隅角部に指先を引っ掛けて引き上げ、折り目ｋに沿って立ち上げる際、指先を一隅角部に確実に引っ掛けることができ、容易に折り目ｋに沿って立ち上げることができる。
【００２７】
また、糊代１１には、一対のＵ字状切れ目ｍ，ｍが形成され、この一対の切れ目ｍ，ｍの範囲内に接着剤が塗布されて底面板１０と貼着されているため、三角形状の一隅角部を摘み部として摘んで底面板１０を引き上げると、糊代１１の、一対のＵ字状切れ目ｍ，ｍの範囲内のライナーのみが中心原紙から剥離されるため、底面板１０を糊代１１から軽快に剥離することができる。
【００２８】
底面板１０を糊代１１から剥離すれば、包装容器１を背面板２および右側面板５に対して左側面板３および正面板４がそれぞれ重なるように、偏平に押し潰すことができ、かさを小さくして廃棄することができる。
【００２９】
なお、切欠部１１ａは、展開図にしたがって打ち抜く際に同時に形成することができるため、生産効率を低下させることはない。
【００３０】
前述した実施形態においては、半円状の切欠部１１ａを例示したが、半円状の切欠部１１ａに限定するものではなく、例えば、図５に示すように、台形状や三角形状の切欠部１１ａであってもかまわない。
【図面の簡単な説明】
【００３１】
【図１】本考案の包装容器の一実施形態を示す展開図である。
【図２】図１の包装容器の組立工程を説明する斜視図である。
【図３】図１の包装容器の底面部分を模式的に示す縦断面図である。
【図４】図１の包装容器の底面板を糊代から剥離する工程を説明する斜視図である。
【図５】図１の包装容器の糊代に形成された切欠部の変形例を示す説明図である。
【図６】従来の包装容器を倒立状態で示す斜視図である。
【図７】図６の包装容器の展開図である。
【符号の説明】
【００３２】
１Ａ  包装容器
２  背面板
３，５  側面板
４  正面板
６，１１  糊代
１１ａ  切欠部
８  上面板
９  フラップ
１０  底面板
ａ，ｂ，ｃ，ｄ，ｅ，ｆ，ｇ，ｈ，ｉ，ｋ  折り目
ｊ  切り裂き目
ｍ  切れ目
【図１】
0003114394.tif 000003
【図２】
0003114394.tif 000004
【図３】
0003114394.tif 000005
【図４】
0003114394.tif 000006
【図５】
0003114394.tif 000007
【図６】
0003114394.tif 000008
【図７】
0003114394.tif 000009